(57)【要約】【課題】流通過程で蓋が開くことがなく、ワンプッシュで蓋が開くワンプッシュオープンヒンジキャップを提供する。【解決手段】キャップ本体にスナップヒンジ部で蓋が接続するヒンジキャップであり、キャップ本体の天板に蓋を係着する段差部を設け、この中央にスライド板収容摺接凹溝を設け、この凹溝の中央に注出ノズルを設け、左右側面に対のスライド板浮き防止摺接突起を設け、周壁前方下方に開封用屈折プッシュ板の下方の先端を接続し、このプッシュ板の上端に、キャップ本体のスライド板収容摺接凹溝に摺動可能に収容され、先端がスナップヒンジ部の弾性屈曲板に至るスライド板をヒンジで接続し、スライド板の中央に、注出ノズルを突出させてスライド可能なガイド孔を設け、前方上面に蓋押上げ突部を設け、片側側面にヒンジでストッパー板を接続し、ストッパー板を屈折して、その先端を周壁に設けた係止凹溝に係止し、蓋の天板下面に封止突部を設ける。【選択図】図１
2006103777.tif 000002
【特許請求の範囲】
【請求項１】
キャップ本体の周壁の後方面上方に、両端にヒンジをもつ中央の弾性屈曲板とその左右両側のヒンジとからなるスナップヒンジ部を介して、蓋が開閉可能に接続するヒンジキャップにおいて、キャップ本体の天板に、蓋が係着する段差部を設け、この段差部と天板の中央位置に、前方から後方へ抜けるスライド板収容摺接凹溝を設け、このスライド板収容摺接凹溝の中央位置に、注出ノズルを立設し、左右両側側面の対向上端位置に、１対又は複数対のスライド板浮き防止摺接突起を設け、周壁の前方面下方に、断面形状がＬ字状の開封用屈折プッシュ板のほぼ直角に周壁側へ屈折した下方の先端を接続し、開封用屈折プッシュ板のスライド板収容摺接凹溝のほぼ延長線上の高さの上端に、ヒンジを介して、キャップ本体側へほぼ直角に屈折してキャップ本体のスライド板収容摺接凹溝に摺動可能に収容され、先端がスナップヒンジ部の中央の弾性屈曲板に至るスライド板を接続し、このスライド板の中央位置に、キャップ本体の注出ノズルを突出させてスライド可能な偏平のガイド孔を設け、前方位置の上面に、断面形状が三角形状の蓋押上げ突部を設け、開封用屈折プッシュ板の片側側面に、ヒンジを介してストッパー板を接続し、このストッパー板を周壁側にほぼ直角に屈折して、ストッパー板の先端を周壁の上端から下方へ設けた係止凹溝に係止し、蓋の天板下面のキャップ本体の注出ノズルとの対応位置に封止突部を設け、キャップを開封するときには、ストッパー板をキャップ本体の係止凹溝から外し、開封用屈折プッシュ板をプッシュしてスライド板を後方へスライドさせ、スライド板の蓋押上げ突部で蓋を浮き上がらせ、スライド板の先端でスナップヒンジ部の中央の弾性屈曲板を後方へプッシュして弾性屈曲板の弾性力で蓋を跳ね上げて蓋を開け、使用したのちに、蓋を元の状態に閉めてキャップを封止することを特徴とするワンプシュオープンヒンジキャップ。
【請求項２】
射出成形法で一体成形したことを特徴とする請求項１記載のワンプシュオープンヒンジキャップ。
【発明の詳細な説明】
【技術分野】
【０００１】
本発明は、流通過程や保管時の不意の外的衝撃により蓋が開くことがなく、また、使用するときに、ワンプッシュで蓋が開き注出孔が開口するワンプッシュオープンヒンジキャップに関するものである。
【背景技術】
【０００２】
従来、液体状の内容物を収納するプラスチックボトルやガラス壜の口頸部には、キャップ本体の周壁後方にヒンジを介して開閉可能に蓋が接続されているいわゆるヒンジキャップが、螺合や咬合により装着されていた。なお、ヒンジには、一般的なヒンジとスナップヒンジ（蓋が完全な状態に開閉していない場合に、その位置から自動的に蓋が完全に開くか閉じるもの）とが使用されていた。
【発明の開示】
【発明が解決しようとする課題】
【０００３】
しかしながら、上述のヒンジキャップは、流通過程や保管時の不意の外的衝撃により蓋が浮いたり又は開くことがあり、キャップ本体の蓋内側に塵埃が付着して汚染したり、内容物が液漏れしたりすることがあった。また、使用するときに、蓋の周壁の前方部下端に突設されている開閉用つまみを指で摘んで、蓋を開かなくてはならないため、作業性や取り扱い性が悪いこともあった。
【０００４】
本発明は、上述の従来のヒンジキャップの問題点を解決したものであり、流通過程や保管時の不意の外的衝撃により蓋が開くことがなく、また、使用するときに、ワンプッシュで蓋が開き注出孔が開口し、また、一体成形が可能なワンプッシュオープンヒンジキャップを提供するものである。
【課題を解決するための手段】
【０００５】
すなわち、本発明の第１の発明は、キャップ本体の周壁の後方面上方に、両端にヒンジをもつ中央の弾性屈曲板とその左右両側のヒンジとからなるスナップヒンジ部を介して、蓋が開閉可能に接続するヒンジキャップにおいて、キャップ本体の天板に、蓋が係着する段差部を設け、この段差部と天板の中央位置に、前方から後方へ抜けるスライド板収容摺接凹溝を設け、このスライド板収容摺接凹溝の中央位置に、注出ノズルを立設し、左右両側側面の対向上端位置に、１対又は複数対のスライド板浮き防止摺接突起を設け、周壁の前方面下方に、断面形状がＬ字状の開封用屈折プッシュ板のほぼ直角に周壁側へ屈折した下方の先端を接続し、開封用屈折プッシュ板のスライド板収容摺接凹溝のほぼ延長線上の高さの上端に、ヒンジを介して、キャップ本体側へほぼ直角に屈折してキャップ本体のスライド板収容摺接凹溝に摺動可能に収容され、先端がスナップヒンジ部の中央の弾性屈曲板に至るスライド板を接続し、このスライド板の中央位置に、キャップ本体の注出ノズルを突出させてスライド可能な偏平のガイド孔を設け、前方位置の上面に、断面形状が三角形状の蓋押上げ突部を設け、開封用屈折プッシュ板の片側側面に、ヒンジを介してストッパー板を接続し、このストッパー板を周壁側にほぼ直角に屈折して、ストッパー板の先端を周壁の上端から下方へ設けた係止凹溝に係止し、蓋の天板下面のキャップ本体の注出ノズルとの対応位置に封止突部を設け、キャップを開封するときには、ストッパー板をキャップ本体の係止凹溝から外し、開封用屈折プッシュ板をプッシュしてスライド板を後方へスライドさせ、スライド板の蓋押上げ突部で蓋を浮き上がらせ、スライド板の先端でスナップヒンジ部の中央の弾性屈曲板を後方へプッシュして弾性屈曲板の弾性力で蓋を跳ね上げて蓋を開け、使用したのちに、蓋を元の状態に閉めてキャップを封止することを特徴とするワンプシュオープンヒンジキャップである。
【０００６】
そして、本発明の第２の発明は、射出成形法で一体成形したことを特徴とする第１の発明に記載のワンプシュオープンヒンジキャップである。
【発明の効果】
【０００７】
本発明のワンプシュオープンヒンジキャップは、最初に使用するときに、まず、開封用屈折プッシュ板を係止しているストッパー板を、指などで側面から押してキャップ本体の係止凹溝から外し、開封用屈折プッシュ板を指で後方へプッシュすると、開封用屈折プッシュ板にヒンジを介して接続するスライド板が後方へスライドし、スライド板の蓋押上げ突部で蓋を浮き上がらせ、スライド板の先端がスナップヒンジ部の中央の弾性屈曲板を後方へプッシュし、弾性屈曲板の弾性力で蓋が跳ね上げられて開いて、注出孔が開口する。使用したのちに、指で蓋の天板の上面を押して、前方へ半ばまで蓋を閉めると、スナップヒンジ部の中央の弾性屈曲板の弾性力によって、蓋が元の状態に閉まり、注出孔が封止される。ストッパー板を係止しなければ、再度、使用するときに、開封用屈折プッシュ板を指で後方へプッシュするだけで、蓋が開き、注出孔が開口する。このため、使用するときの作業性や取り扱い性が良好である。
【０００８】
また、本発明のワンプシュオープンヒンジキャップは、流通過程や保管時には、開封用屈折プッシュ板の片側側面にヒンジを介して接続するストッパー板が、周壁板側へほぼ直角に屈折して先端を周壁の係止凹溝に係止しているため、開封用屈折プッシュ板は、しっかりと固定されており、不意の外的衝撃があっても、蓋が開くことがない。
【０００９】
また、本発明のワンプシュオープンヒンジキャップは、射出成形において、蓋をキャップ本体に対して水平に開いた状態で、また、開閉用屈折板とスライド板を垂直状態で、そして、開閉用屈折板の片側側面のストッパー板を開閉用屈折板に直列に開いた状態で金型内で成形すると、アンダーカットとなる部分が少なく、一体成形が可能である。
【発明を実施するための最良の形態】
【００１０】
次に、本発明のワンプシュオープンヒンジキャップの一実施形態について、図を用いて詳細に説明する。
【００１１】
図１は、本実施形態のワンプッシュオープンヒンジキャップの構造を示すためと金型内での状態を示す斜視図であり、図２は、蓋をキャップ本体に閉じたときの外観を示す斜視図であり、図３は、スライド板をキャップ本体のスライド板収容摺接凹溝に挿着したときの状態を示す説明図である。
【００１２】
本実施形態のワンプッシュオープンヒンジキャップ（１０）の構造は、図１に示すように、キャップ本体（１００）の周壁（１２０）の後方面上方に、両端にヒンジ（３１１，他方は図示せず））をもつ中央の弾性屈曲板（３１０）とその左右両側のヒンジとからなるスナップヒンジ部（３００）を介して、蓋（２００）が開閉可能に接続するヒンジキャップである。そして、使用するときに、図２に示す前方の開封用屈折プッシュ板（４１０）の前面を指でワンプッシュすることにより、蓋が開き、注出口が開口する。使用したのちに、蓋を指でキャップ本体に閉じると、再封止することができる。
【００１３】
本実施形態のキャップ本体（１００）の構造は、図１に示すように、天板（１１０）の外周近傍から内側に、蓋（２００）が係着する段差部（１１１）を設け、この段差部と天板の左右方向の中央位置に、前方から後方のスプリングヒンジ部（３００）へ抜ける後方端部が細幅になっているスライド板収容摺接凹溝（１１２）を設け、このスライド板収容摺接凹溝の中央位置に、容器に収納する内容物を注出するための注出ノズル（１１４）を立設し、細幅になっている後方端部の左右両側側面の対向上端位置に、１対のスライド板
浮き防止摺接突起（１１３）を設け、周壁（１２０）の前方面下方に、断面形状がＬ字状の開封用屈折プッシュ板（４１０）のほぼ直角に周壁側へ屈折した下方の端部の先端を接続し、この開封用屈折プッシュ板のスライド板収容摺接凹溝（１１２）のほぼ延長線上の高さの上端に、ヒンジ（４２１）を介して、キャップ本体側へほぼ直角に屈折してキャップ本体のスライド板収容摺接凹溝（１１２）に摺動可能に収容され、先端がスナップヒンジ部（３００）の中央の弾性屈曲板（３１０）に至るスライド板（４２０）を接続し、このスライド板（４２０）の中央位置に、図３に示すように、キャップ本体の注出ノズル（１１４）を突出させて、注出ノズルの外周面に摺接してスライド可能な偏平のガイド孔（４２３）を設け、図２に示すように、蓋（２００）の外周面下端の外側前方位置の上面に、断面形状が直角三角形状で後方側が傾斜面の蓋押上げ突部（４２２）を設け、図３に示すように、開封用屈折プッシュ板（４１０）の右側側面に、ヒンジ（４１１）を介して、長方形状のストッパー板（４１２）を接続し、このストッパー板をキャップ本体の周壁（１２０）側にほぼ直角に屈折して、ストッパー板の先端を周壁の上端から下方へ設けた係止凹溝（１２１）に係止しするものである。なお、キャップ本体の周壁内周面には、容器の口頸部外周面の雄ネジに螺合する雌ネジを設けるか、または、容器の口頸部外周面の咬合リングに咬合する咬合リングを設けるものである。また、開封用屈折プッシュ板の前面には、必要に応じて、使用するときに使用し易くする表示を印刷又は彫刻するものである。
【００１４】
本実施形態の蓋（２００）の構造は、図１に示すように、天板（２１０）と周壁（２２０）とからなり、天板下面のキャップ本体（１００）の注出ノズル（１１４）との対応位置に、注出ノズルを封止する封止突部（２１１）を垂設するものである。封止突部は、下方へ漸次狭くなる傾斜外周面をキャップ本体の注出ノズルの内周面に密接して封止するものであり、インナー封止リングか又は封止突起である。
【００１５】
上述した本実施形態のワンプッシュオープンヒンジキャップ（１０）は、図１に示すように、スライド板（４２０）をヒンジ（４２１）により後方へほぼ直角に折り曲げて、キャップ本体（１００）の注出ノズル（１１４）をガイド孔（４２３）に突出させ、スライド板収容摺接凹溝（１１２）の後方端部に設けらいるスライド板浮き防止摺接突起（１１３）で上面を押さえるようにして、キャップ本体（１００）の天板（１１０）のスライド板収容摺接凹溝（１１２）にスライド板（４２０）を収容し、図３に示すように、ストッパー板（４１２）をキャップ本体の周壁（１２０）側へ、ヒンジ（４１１）によりほぼ直角に屈折して係止凹溝（１２１）に先端を係止し（矢印）、図２に示すように、蓋（２００）をキャップ本体（１００）に閉じるものである。
【００１６】
図２に示す本実施形態のワンプッシュオープンヒンジキャップ（１０）の使用の仕方については、流通過程を経て初めて開封するときには、図３に示すように、ストッパー板（４１２）をキャップ本体（１００）の周壁（１２０）の係止凹溝（１２１）から指で押し（点線矢印）て外し、開封用屈折プッシュ板（４１０）の前方面を指でプッシュすると、蓋がキャップ本体から開いて、注出ノズル（１１４）が開口する。使用後に再封するときは、蓋を元の状態に閉めてキャップを封止する。ストッパー板を外して置けば、使用するときに、そのまま、開封用屈折プッシュ板を指でプッシュすれば、蓋が開き注出ノズルが開口する。
【００１７】
そして、本実施形態のワンプッシュオープンヒンジキャップの射出成形方法は、適度の剛性をもちヒンジ性をもつポリプロピレンなどに熱可塑性樹脂を用いて、図１に示すように、蓋（２００）をキャップ本体（１００）に対して水平に開いた状態で、また、開閉用屈折板（４１０）とスライド板（４２０）を垂直状態で、そして、開閉用屈折板（４１０）の片側側面のストッパー板（４１２）を開閉用屈折板に直列に開いた状態で金型内で一体成形するものである。
【図面の簡単な説明】
【００１８】
【図１】本発明の一実施形態のワンプッシュオープンヒンジキャップの構造を示すためと金型内の状態を示す斜視図である。
【図２】図１のワンプッシュオープンヒンジキャップの蓋をキャップ本体に閉じたときの斜視図である。
【図３】図１のワンプッシュオープンヒンジキャップのスライド板をキャップ本体のスライド板収容摺接凹溝に挿着したときの状態を示す説明図である。
【符号の説明】
【００１９】
１０……ワンプッシュオープンヒンジキャップ
１００……キャップ本体
１１０，２１０……天板
１１１……段差部
１１２……スライド板収容摺接凹溝
１１３……スライド板浮き防止摺接突起
１１４……注出ノズル
１２０，２２０……周壁
１２１……係止溝
２００……蓋
２１１……封止突部
３００……スプリングヒンジ
３１０……弾性屈曲板
３１１，４２１……ヒンジ
４１０……開封用屈折プッシュ板
４１１……ヒンジ
４１２……ストッパー板
４２０……スライド板
４２２……蓋押上げ突部
４２３……ガイド孔
【図１】
2006103777.tif 000003
【図２】
2006103777.tif 000004
【図３】
2006103777.tif 000005